(57)【特許請求の範囲】
【請求項１】
人の頭（２）に置かれて，立った位置あるいは座った位置での様々な活動の実行中，正しいあるいは誤った直立姿勢を示す装置であって，ヘッドバンド，ヘアバンド，イヤクリップあるいは人の頭に取り付けるための他の適宜の装置（３）に接続される傾き指示器を有している装置において，前記傾き指示器は基本本体（４）と，指示器本体（５）とから成り，前記基本本体（４）は前記ヘッドバンド（３）あるいは同等物にしっかりと固定されており，前記指示器本体（５）はスタート位置から少なくとも１つの方向に移動可能であり、前記指示器本体（５）は，水平面に実質的に平行であるかまたは一致する平面内または該平面上において，実質的に前記基本本体（４）に相対して，正しいヘッド位置を示し，それにより，前記正しいヘッド位置からある程度の偏移が生じる際，前記指示器本体（５）は前記基本本体（４）に相対して移動し，また，前記正しいヘッド位置が再び占められる際，前記指示器本体（５）は前記スタート位置に戻るよう設計されていることを特徴とする装置。
【請求項２】
請求の範囲第１項記載の装置において，前記可動本体（５）はボール（５ｃ）であり，前記固定本体（４）は１つあるいはそれ以上の傾斜平面（１０）を有しており，ヘッド位置が正しい場合，前記ポール（５ｃ）は前記傾斜平面（１０）の最下点（１１）にあるとともに誤った位置にある前記頭により逆の傾斜が前記傾斜平面（１０）に生ずる際，該傾斜平面（１０）の反対側端部まで転動するよう設計されていることを特徴とする装置。
【請求項３】
請求の範囲第２項記載の装置において，前記固定本体は複数個の傾けられた平面（１０）を備えており，該傾けられた平面（１０）は一致した最下ポイント（１１）を有していることを特徴とする装置。
【請求項４】
請求の範囲第１項記載の装置において，前記可動本体はスライド（５ａ）であり，該スライド（５ａ）は前記固定本体（４）のチャンネル（６）内で移動するよう設計されていることを特徴とする装置。
【請求項５】
請求の範囲第１項記載の装置において，前記可動本体はシリンダ（５ｂ），ピンあるいは同等物であり，前記固定本体（４）は，一端に凹所（９）を有する平面（８）を有しており，前記可動本体（５）は，前記頭の位置が正しい時前記凹所（９）内にあり，且つ，頭の位置が誤っている時前記凹所（９）の外へ転がり出るよう設計されているとともに前記平面（８）を転がり落ちるよう設計されていることを特徴とする装置。
【請求項６】
請求の範囲第１項記載の装置において，前記可動本体（５）はディスク（５ｄ）であり，前記固定本体（４）は穴（１３）を有しており，該穴（１３）は前記ディスク（５ｄ）よりもわずかに小さな直径を有しており，前記ディスク（５ｄ）は，少なくとも部分的に，前記穴の縁部の後ろにあるとともに頭の位置が変化する際，前記穴（１３）に相対して移動することができることを特徴とする装置。
【請求項７】
請求の範囲第６項記載の装置において，前記ディスク（５ｄ）は前記固定本体（４）の主面内であらゆる方向に移動することができるよう設計されていることを特徴とする装置。
【請求項８】
請求の範囲第６項乃至第８項のいずれか１つに記載の装置において，前記固定本体（４）及び前記可動ディスク（５ｄ）の双方は対応する曲率半径で湾曲せしめられていることを特徴とする装置。
【請求項９】
前掲請求の範囲のいずれか１つに記載の装置において，頭の位置が正しい時の位置から頭の位置が誤っている時の位置へ移動する際に前記可動本体（５）が前記固定本体（４）にぶつかる場合，該移動可能な本体（５）は可聴音を作るよう設計されていることを特徴とする装置。
【請求項１０】
請求の範囲第１項記載の装置において，前記可動本体（５）は水銀ボールあるいは同等物であり，該水銀ボールあるいは同等物は，正しいヘッド位置からの偏移時，電子回路を閉じ，あるいは，前記可動本体（５）の位置は近接センサにより検出され，前記電子回路は可聴音，振動，光信号あるいは同等物を作るよう設計されていることを特徴とする装置。
【発明の詳細な説明】
本発明は，立った位置あるいは座った位置での様々な活動の実行時，人の頭に置いて正しい立ち姿あるいは誤った立ち姿を示すための装置であって，ヘッドバンド，ヘアバンド，イヤクリップあるいは人の頭に取り付けるための他の適宜の手段に接続されるバランス素子を有する装置に関する。
この種の装置は，出願人自身のノルウェー特許第１７１，３４９号に教示されている。この装置はバランス本体からなり，該バランス本体はＵ字形バンドに取り付けられており，該Ｕ字形バンドはヘアバンドあるいは同等物に取り付けられている。Ｕ字形バンドの両脚部間にはバネあるいは同等物が置かれていて，頭が余りにも前方に移動する場合，及び，その頭が正しいヘッド位置を外れて移動する場合，バランス本体が前方に傾くようになっている。このことが生ずると，信号が与えられて使用者が誤った座り位置を占めたことが示される。
この装置は専門のガイダンスの下では極めてうまく機能するが，にもかかわらず，ある種の弱みに悩まされている。例えば，その装置はむしろ大きく，また，ぎこちなくごつごつしており，使用者の頭よりも上にかなりの高さまで突出している。このことは，使用者が低いドアフレームあるいは同等物に打ちつけられ，叩かれるると，その装置により頭が容易に傷付いてしまうことを意味する。
また，装置は，較正がややむずかしいことが証明されており，また，正しい較正のために偏移には極めて感受性が高い。更に，装置のバランス本体が前方に傾いた場合それに気付くのが使用者にとって難しく，従って，彼または彼女は鏡に頼っているか，あるいは，オブザーバーとして存在する別の人に頼っている。
更に，装置は，頭が前方に傾きすぎる場合誤ったヘッド位置を示すだけである。即ち，頭が側方に傾いた場合，誤ったヘッド位置を示さないのである。
それ故，これら欠点を回避するため，以下に述べる独立の請求の範囲第１項記載の，また，それに続く従属請求の範囲の特徴事項記述部分に記載されているごとき装置を設計することを提案する。
添付図面を参照して，装置をより詳細に以下説明する。その添付図面において，
第１図は，可動本体が固定本体に設けられたチャンネル内で移動できるスライドである装置を示している。
第２図は，頭の位置が誤っている場合，可動本体が，固定本体に設けられた凹所を外れて移動するピンである装置を示している。
第３（ａ）図及び第３（ｂ）図は，第２図による可動本体の移動即ち運動を示している。
第４図は，頭の位置が誤っている場合，可動本体が，傾斜平面に沿って転がるボールである装置を示している。
第５図は，第４図に示されている装置の線Ｖ−Ｖに沿った断面を示している。
第６図ないし第９図は，固定本体に設けられた穴内で移動するよう設計されたディスクからなる可動本体を示している。
第６図は，可動本体がニュートラル位置での，上から見た装置を示している。
第７図は，第６図の線ＶＩＩ−ＶＩＩに沿った断面を示している。
第８図は，可動本体がニュートラル位置から移動した状態での上から見た装置を示している。
第９図は，第８図の線ＩＸ−ＩＸに沿った断面を示している。
第１図に示された，装置１は取り付け手段３により人の頭２上に置かれている。その取り付け手段３は，ヘアバンド，ヘッドバンドあるいは他の適宜の手段であってよい。装置１は固定本体４と，可動本体５とから成り，固定本体４は取り付け手段３にしっかりと固定されており，可動本体５はその固定本体４に相対して並進運動可能にされている。
第１図に示された例示実施例においては，可動本体５はスライドブロック５ａからなっており，そのスライドブロック５ａは固定本体４のチャンネル６内で移動するよう設計されている。頭の位置が正しい場合，好ましくは，ブロック５ａは頭の最上ポイントにあり，また，好ましくは，チャンネル６の後端にある。頭が余りにも前方に曲げられた場合，ブロック５ａの重量はチャンネル６に対する摩擦力に打ち勝ち，ブロック５ａはチャンネル６内を前方に移動する。ブロック５ａ及び固定本体の材料及び設計を，ブロック５ａがチャンネル６の端にぶつかった際に可聴音が出されるよう選定することができる。
第２図には，装置の第２の実施例が示されている。ここで，可動本体５はピン５ｂでなっており，また，固定本体はホルダ４ｂでなっており，そのホルダ４ｂは通過スロット７を備えており，その通過スロット７は，後端に凹所９を有する平面８を画成している。頭の位置が正しい場合，ピン５ｂは凹所９内にあるが，頭が余りにも前方に傾けられる場合，ピン５ｂは凹所９から外れて転がって平面８に流れ落ち，好ましくは，そのピン５ｂがホルダ４ｂの端部にぶつかる際可聴音を出す。第３（ａ）図及び第３（ｂ）図は，頭の位置が正しい場合，また，誤っている場合のピン５ｂの位置をそれぞれ示している。
第４図に示された実施例では，可動本体はボール５ｃでなっており，また，固定本体はボックス４ｃでなっている。そのボックス４ｃは傾斜面１０を備えており，好ましくは，その傾斜面１０は，それがボックスの縁部から傾けられてボックスの後縁部１２のところで底点１１に向かって傾けられるよう湾曲されている。ニュートラル位置では，ボール５ｃは傾斜面の最低ポイント１１にある。頭が余りにも前方に傾けられる際，あるいは，たぶん余りにも側方に傾けられる際，傾斜面は水平位置を越えて移動し，それにより，最低ポイント１１はそれの反対端部で傾斜面よりも高くなる。かくて，ボールは傾斜面を滑り落ち，そして，ボックスの壁に衝突し，好ましくは，そうすることによる可聴音を作る。好ましくは，ボックス４ｃは閉じられていて，ボール５ｃが落ちないようになっている。ボックス４ｃはヘッドバンドあるいは同等物に適宜の態様で取り付けられている。
第６図乃至第９図は第４の実施例を示しており，その第４の実施例では，可動本体はディスク５ｄから成り，固定本体は同様に大きな直径のディスク４ｄから成っている。第７図に最もよく見られるように，ディスク４ｄは２重になっていて，一方の壁にはディスク５ｄの直径よりも小さな直径の穴１３が備えられている。前記ディスク５ｄも２重になっていてるが，この場合の壁はディスクの中心にのみ接続されている。ディスク５ｄの壁１４の一方が穴の縁部の内側に位置するようディスク５ｄは穴１３内に置かれており，一方，他方の壁１５は外側に置かれている。頭の位置が正しい場合，ディスク５ｄは穴１３内で中心決めされる。正しい頭位置から偏移する際，ディスク５ｄは穴１３に相対して移動し，ヘッド位置が誤っていることを明瞭に示す。この場合も，好ましくは，ディスク５ｄがそれの最外位置に達する際，可聴音が出される。好ましくは，ディスク５ｄ及びディスク４ｄの双方は２重に湾曲せしめられていて，移動に対する装置の感受性が低くなっている。湾曲は，所望の感受性度合いにより変えることができる。
図示されていない実施例では，移動可能本体は水銀ボールあるいは同等物からなっていてもよく，正しいヘッド位置からの偏移の際，電子回路を閉じるようにその水銀ボールあるいは同等物が移動する。その電子回路が可聴音，例えば，パイプ音を発するように，振動装置を駆動するように，光信号を与えるように，あるいは，他の態様で，誤ったヘッド位置が占められていることを示すようにその電子回路を形成してもよい。
装置は，また，近接センサを備えていてもよく，その近接センサは可動本体の位置を検出し，その位置に応じて連続的あるいは段階的信号を与えるようになっている。
【図１】
0003769015.tif 000002
【図２】
0003769015.tif 000003
【図３（ａ）】
0003769015.tif 000004
【図３（ｂ）】
0003769015.tif 000005
【図４】
0003769015.tif 000006
【図５】
0003769015.tif 000007
【図６】
0003769015.tif 000008
【図７】
0003769015.tif 000009
【図８】
0003769015.tif 000010
【図９】
0003769015.tif 000011